(57)【要約】【課題】  下塗り用粘着テープを上塗り用粘着テープからはがしやすく、しかも上塗り用粘着テープの上塗り境界設定部の位置がずれたりしないマスキングシートを提供する。【解決手段】  非塗装面１を覆うシート体Ｓの長さ方向に沿って接着されるとともに非塗装面１に貼り付けられる上塗り用粘着テープ２と、これに積層され、上塗り用粘着テープ２から張り出だされた下塗り境界設定部３ａが設けられた下塗り用粘着テープ３とを備えたマスキングシートを前提にする。下塗り用粘着テープ３の裏面は、下塗り用粘着テープ３の幅方向であって、少なくとも下塗り境界設定部３ａを含む範囲で形成される粘着部Ｃと、少なくとも下塗り境界設定部３ａの反対側となる他方のへり３ｅを含む範囲で形成される非粘着部Ｖとを備えている。上塗り用粘着テープ２に対する下塗り用粘着テープ３の粘着力に比べて、非塗装面１に対する上塗り用粘着テープ２の粘着力の方が大きくなっている。【選択図】  図２
2018196857.tif 000002
【特許請求の範囲】
【請求項１】
非塗装面を覆うシート体と、
上記シート体のへりの長さ方向に沿って接着される上塗り用粘着テープと、
上記上塗り用粘着テープの長さ方向に沿って接着されるとともに、上記上塗り用粘着テープに積層される下塗り用粘着テープとを備え、
上記上塗り用粘着テープは、その長さ方向に直交する幅方向の一部がシート体から張り出され、その張り出された一方のへりに上塗り境界設定部が設けられ、
上記下塗り用粘着テープは、その長さ方向に直交する幅方向の一部が上記上塗り用粘着テープから張り出され、その張り出された一方のへりに下塗り境界設定部が設けられたマスキングシートであって、
上記下塗り用粘着テープの裏面は、その長さ方向に沿って設けられた粘着部と非粘着部とに区画され、
上記粘着部が、下塗り用粘着テープの幅方向であって、少なくとも下塗り境界設定部を含む範囲で形成されるとともに、
上記非粘着部が、下塗り用粘着テープの幅方向であって、少なくとも下塗り境界設定部の反対側となる他方のへりを含む範囲で形成されており、
上塗り用粘着テープに対する下塗り用粘着テープの粘着力に比べて、非塗装面に対する上塗り用粘着テープの粘着力の方が大きくなるように構成されたマスキングシート。
【請求項２】
上記下塗り用粘着テープは、その幅方向において、上記粘着部と非粘着部とが交互に連続して区画された請求項１に記載のマスキングシート。
【請求項３】
上記両粘着テープは多層構造の素材からなり、それらの幅方向に裂けやすく、長さ方向には裂けにくくされた請求項１又は２に記載のマスキングシート。
【発明の詳細な説明】
【技術分野】
【０００１】
この発明は、塗装作業時に、塗装面の境界がはみ出したり、非塗装面に塗料が飛散して汚したりするのを防ぐためのマスキングシートに関する。
【背景技術】
【０００２】
塗装作業時に、非塗装面に塗料が付着したり、飛散したりするのを防ぐためのマスキングシートとして特許文献１に記載されたものが従来から知られているが、この従来のマスキングシートを示したのが図５，６である。
この従来のマスキングシートは、例えば、凹凸模様を施した塗り厚の厚い模様形成面に、薄い保護膜などを塗布するのに適したものである。
【０００３】
上記図５，６からも明らかなように、非塗装面１を覆うシート体ＳのへりＳ１には、上記薄膜となる上塗りの境界を設定するための上塗り用粘着テープ２を接着している。
この上塗り用粘着テープ２は、その裏側全面を粘着部とするとともに、その幅方向のほぼ１／３程度を上記シート体ＳのへりＳ１に貼り付け、残りの２／３程度をへりＳ１から張り出させ、その張り出した部分を非塗装面１に貼り付けるようにしている。そして、上記シート体ＳのへりＳ１から張り出された上記上塗り用粘着テープ２の一方のへりは、非塗装面１と後述する上塗り６との境界を区画する上塗り境界設定部２ａとしている。
【０００４】
一方、上記模様形成面となる下塗りの境界を設定する下塗り用粘着テープ３は、その裏側全面を粘着部とするとともに、その幅方向１〜２ｍｍほどを上塗り用粘着テープ２から張り出させ、その他の部分は上塗り用粘着テープ２に貼り付けている。そして、上記上塗り用粘着テープ２から張り出された上記下塗り用粘着テープ３の一方のへりは、非塗装面１と後述する下塗り５との境界を区画する下塗り境界設定部３ａとしている。
【０００５】
そして、図６（ａ）に示すように、下塗り境界設定部３ａを下塗り面４の境界に沿わせながら、下塗り用粘着テープ３と上塗り用粘着テープ２とを非塗装面１に接着する。下塗り用粘着テープ３と上塗り用粘着テープ２とを非塗装面１に接着したら、折りたたまれていたシート体Ｓを展開して非塗装面１を覆う。
【０００６】
上記のようにして下塗り用粘着テープ３と上塗り用粘着テープ２とを非塗装面１に接着すれば、下塗り面４と非塗装面１とが、下塗り境界設定部３ａを境に区画されることになる。
したがって、下塗り面４に、凹凸模様を形成する厚塗りの下塗り５を施せば、下塗り５が非塗装面１にはみ出すこともないし、下塗り用の塗料が、非塗装面１に飛散して汚すようなこともなくなる。
【０００７】
上記のようにして下塗り５が完成したら、図６（ｂ）に示すように、下塗り用粘着テープ３を上塗り用粘着テープ２からはがすことによって、上塗り境界設定部２ａで区画された、下塗り５が載っていない１〜２ｍｍ幅の非塗装面１が露出する。
上記のように１〜２ｍｍ幅の非塗装面１を露出させたまま、下塗り５の表面にその保護膜となる薄い上塗り６を施せば、この上塗り６は上塗り境界設定部２ａを境に区画されるので、上塗り用の塗料が非塗装面１にはみ出すこともないし、非塗装面１に飛散して汚すようなこともなくなる。
【０００８】
上記のように上塗り用粘着テープ２を用いたのは、図６（ｃ）に示すように、凹凸模様等を施した厚い下塗り５のいわゆる見切り部５ａにまで保護膜である上塗り６が施されるようにするためである。
したがって、下塗り用粘着テープ３における幅方向１〜２ｍｍほどの張り出し部分の幅は、上記見切り部５ａまで上塗り６が届けばよく、最小限の幅で足りるとともに、必要以上の幅はかえって非塗装面１の境界をあいまいにするので、弊害になってしまう。
【先行技術文献】
【特許文献】
【０００９】
【特許文献１】実開昭６２−０１００６８号公報
【発明の概要】
【発明が解決しようとする課題】
【００１０】
従来のマスキングシートは、下塗り用粘着テープ３の裏側全面を粘着部としているので、それを上塗り用粘着テープ２からはがすとき、爪を立てるなどして一部をはがし、そのはがした一部をつまんで全体をはがさなければならない。そのために、はがす作業がスムーズにいかなくなり、特に、軍手などを着けていると、その作業性が極端に悪くなってしまう。
【００１１】
また、上記のように下塗り用粘着テープ３を上塗り用粘着テープ２からはがすとき、指先に力を入れすぎると、上塗り用粘着テープ２の一部まではがしてしまうことがあった。もし、上塗り用粘着テープ２の一部まではがしてしまうと、それを１〜２ｍｍ程度の範囲で修正しなければならなくなる。しかし、上塗り境界設定部２ａの位置をわずかな幅の範囲で修正するのは至難なことで、その修正の作業性も悪くなる。また、軍手などをしていると一層作業性が悪くなってしまう。
【００１２】
さらに、下塗り用粘着テープ３の裏側全面を粘着部としているので、上塗り用粘着テープ２に対する粘着力が強くなってしまう。そのために、下塗り用粘着テープ３を上塗り用粘着テープ２からはがす過程で、上塗り用粘着テープ２が追随して、上塗り用粘着テープ２が非塗装面１からはがれたり、あるいは上塗り境界設定部２ａの位置がずれたりする。上塗り用粘着テープ２がはがれたり、上塗り境界設定部２ａの位置がずれたりすれば、当然その修正をしなければならないが、非常に狭い範囲でする修正作業は難しく、その分、作業性も悪くなる。
【００１３】
この発明の目的は、下塗り用粘着テープを上塗り用粘着テープからはがしやすく、しかも、そのはがす過程で、上塗り用粘着テープの上塗り境界設定部の位置がずれたりしないマスキングシートを提供することである。
【課題を解決するための手段】
【００１４】
第１の発明は、非塗装面を覆うシート体と、上記シート体のへりの長さ方向に沿って接着される上塗り用粘着テープと、上記上塗り用粘着テープの長さ方向に沿って接着されるとともに、上記上塗り用粘着テープに積層される下塗り用粘着テープとで構成されている。そして、上記上塗り用粘着テープは、その長さ方向に直交する幅方向の一部がシート体から張り出され、その張り出された一方のへりに上塗り境界設定部が設けられる。さらに、上記下塗り用粘着テープは、その長さ方向に直交する幅方向の一部が上記上塗り用粘着テープから張り出され、その張り出された一方のへりに下塗り境界設定部が設けられたマスキングシートを前提にしている。
【００１５】
そして、上記下塗り用粘着テープの裏面は、その長さ方向に沿って設けられた粘着部と非粘着部とに区画されている。また、上記粘着部が、下塗り用粘着テープの幅方向であって、少なくとも下塗り境界設定部を含む範囲で形成されるとともに、上記非粘着部が、下塗り用粘着テープの幅方向であって、少なくとも下塗り境界設定部の反対側となる他方のへりを含む範囲で形成されている。さらに、上塗り用粘着テープに対する下塗り用粘着テープの粘着力に比べて、非塗装面に対する上塗り用粘着テープの粘着力の方が大きくなるように構成された点に特徴がある。
【００１６】
第２の発明は、上記下塗り用粘着テープが、その幅方向において、上記粘着部と非粘着部とが交互に連続して区画された点に特徴がある。
【００１７】
第３の発明は、上記両粘着テープが多層構造の素材からなり、それらの幅方向に裂けやすく、長さ方向には裂けにくくされた点に特徴がある。
【発明の効果】
【００１８】
第１の発明によれば、上記下塗り用粘着テープには粘着部と非粘着部とを設けたので、非粘着部を指で簡単につまむことができる。例えば、従来の場合には、上記したように爪を立てる際に上塗り用粘着テープの上塗り境界設定部がずれたりしたが、第１の発明ではそのような問題は発生しない。しかも、上記のように非粘着部を簡単につまめるので、軍手などを使ったまま作業ができる。
【００１９】
また、下塗り用粘着テープに非粘着部を設けたので、その分、下塗り用粘着テープの粘着力が弱くなる。そのために、上塗り用粘着テープに対する下塗り用粘着テープの粘着力に比べて、非塗装面に対する上塗り用粘着テープの粘着力の方が大きくなる。したがって、下塗り用粘着テープを上塗り用粘着テープからはがすとき、上塗り用粘着テープが下塗り用粘着テープに追随せず、上塗り用粘着テープの上塗り境界設定部がずれたりしない。上塗り境界設定部がずれないので、従来のようなずれを修正する作業もなくなり、全体の作業性もよくなる。
【００２０】
第２の発明によれば、下塗り用粘着テープの上塗り用粘着テープへ対する粘着性と剥離性とを調節できる。
【００２１】
第３の発明によれば、両粘着テープが、それら両粘着テープの幅方向に沿って裂けやすくなったので、素手でも容易にマスキングシートを裂くことができる。
【図面の簡単な説明】
【００２２】
【図１】この第１実施形態のマスキングシートをロール状にした斜視図である。
【図２】この第１実施形態のマスキングシートにおける図１のII−II線断面図である。
【図３】この第１実施形態の下塗り用粘着テープの裏面側を示した平面図である。
【図４】この第２実施形態の下塗り用粘着テープの裏面側を示した平面図である。
【図５】従来のマスキングシートの平面図である。
【図６】従来のマスキングシートの使用状況の説明図で、（ａ）は下塗り用粘着テープと下塗りとの関係を示した図、（ｂ）は上塗り用粘着テープと下塗りとの関係を示した図、（ｃ）は上塗り用粘着テープと上塗りとの関係を示した図である。
【発明を実施するための形態】
【００２３】
図１〜３に、この発明のマスキングシートの第１実施形態を示す。
この第１実施形態のマスキングシートは、非塗装面１を覆うシート体Ｓにおける長さ方向の一方のへりＳ１に沿って、下塗り用粘着テープ３と上塗り用粘着テープ２とが２層構造になって設けられている。
このようなマスキングシートは、例えば、凹凸模様を施した塗り厚の厚い模様形成面に、薄い保護膜などを塗布するのに適したものである。
【００２４】
図１に示すように、使用前のマスキングシートは、芯材７に巻き付けられてロール状になっている。
非塗装面１を覆うシート体Ｓは、上記両粘着テープ２，３から一定の幅を備えるとともに、上記両粘着テープ２，３の長さ方向に連続する大きさを備えている。そして、上記シート体Ｓは、折りたたまれ、両粘着テープ２，３とともに芯材７に巻きまわされ、ロール状にされている。
【００２５】
このシート体Ｓの材質は、主に、薄い合成樹脂フィルムが用いられる。この合成樹脂フィルムの表面は、コロナ放電処理によって表面改質され、塗料などを吸着しやすくしている。このように、合成樹脂フィルムの表面で塗料を吸着するので、シート体Ｓを垂直に設けた場合でも、塗料がシート体Ｓの下方に垂れることがない。また、上記合成樹脂フィルムは、素手でも裂けるようになっている。
なお、シート体Ｓの材質はポリエチレン等の合成樹脂フィルムを用いているが、布や、紙など薄いシート状のものであれば、どのようなものでも使用できる。
【００２６】
図２に示すように、非塗装面１を覆うシート体Ｓの一方のへりＳ１には、上記薄膜となる上塗りの境界を設定するための上塗り用粘着テープ２を接着している。
この上塗り用粘着テープ２は、その裏側全面を粘着部とするとともに、その幅方向のほぼ１／３程度を上記シート体Ｓの一方のへりＳ１に貼り付け、残りの２／３程度をへりＳ１から張り出させ、その張り出した部分を非塗装面１に貼り付けるようにしている。そして、上記シート体ＳのへりＳ１から張り出された上記上塗り用粘着テープ２の一方のへりは、非塗装面１と後述する上塗り６との境界を区画する上塗り境界設定部２ａとなる。
【００２７】
一方、上記模様形成面となる下塗りの境界を設定する下塗り用粘着テープ３は、その裏側に粘着部Ｃと非粘着部Ｖとを設けている。
上記粘着部Ｃは、下塗り用粘着テープ３の幅方向を上塗り用粘着テープ２から一部を張り出させるとともに、その他の粘着部Ｃ部分を上塗り用粘着テープ２に貼り付けるようにしている。そして、上塗り用粘着テープ２から張り出された下塗り用粘着テープ３の一方のへりは、非塗装面１と後述する下塗り５との境界を区画する下塗り境界設定部３ａとしている。
【００２８】
また、この下塗り用粘着テープ３の裏面は、図３に示すように、その幅方向において、下塗り境界設定部３ａ側の長さ方向に沿って設けられた粘着部Ｃと、この下塗り境界設定部３ａとは反対側となる他方のへり３ｅ側の長さ方向に沿って設けられた非粘着部Ｖとに区画されている。しかも、上記粘着部Ｃは、下塗り用粘着テープ３の幅方向であって、下塗り境界設定部３ａを含む範囲で形成されている。さらに、非粘着部Ｖは、下塗り用粘着テープ３の幅方向において上記粘着部Ｃと隣接するとともに、他方のへり３ｅを含む範囲で形成されている。
【００２９】
この第１実施形態では、下塗り用粘着テープ３と上塗り用粘着テープ２とは、同じ幅を備えたテープ基材を使用している。そして、この第１実施形態では、下塗り用粘着テープ３が上塗り用粘着テープ２から張り出しているので、下塗り用粘着テープ３における下塗り境界設定部３ａの反対側のへり３ｅが、上塗り用粘着テープ２における上塗り境界設定部２ａの反対側のへり２ｅから内側の位置にずれて設けられる。
下塗り用粘着テープ３のへり３ｅが、上塗り用粘着テープ２のへり２ｅからずれた位置に設けられたので、下塗り用粘着テープ３のへり３ｅに指が引っ掛かりやすくなっている。
【００３０】
また、下塗り用粘着テープ３と上塗り用粘着テープ２とは、同じ粘着性を備えた粘着剤が使用されている。この粘着剤は、塗装対象物にそれぞれの粘着テープ２，３を貼り付けたときに、非塗装面１に塗料が染み込まない程度の密着性を保持できる粘着性と、はがしやすい剥離性とを兼ね備えている。
【００３１】
さらに、この第１実施形態では、上塗り用粘着テープ２のシート体ＳのへりＳ１から張り出した粘着部の幅は、下塗り用粘着テープ３の上塗り用粘着テープ２から張り出した部分を除いた粘着部Ｃの幅よりも広く形成されている。つまり、上塗り用粘着テープ２に対する下塗り用粘着テープ３の粘着力に比べて、非塗装面１に対する上塗り用粘着テープ２の粘着力の方が大きくなる。
【００３２】
また、上記両粘着テープ２，３は、上記両粘着テープ２，３が布状繊維を挟んだ多層構造の素材からなり、幅方向には裂け易く、長さ方向には裂け難いポリエチレンクロステープを使用している。このようなポリエチレンクロステープとしては、例えば株式会社寺岡製作所製のＰ−カットテープ（登録商標）がある。
【００３３】
この第１実施形態では、両粘着テープ２，３が幅方向に裂けやすく、シート体Ｓも裂けやすい構成になっている。そのため、両粘着テープ２，３とシート体Ｓとが、素手でも裂けやすくなっている。したがって、マスキングシートの裁断に特別な道具を使用する必要がなくなり、作業性がよくなっている。
【００３４】
次に、この第１実施形態の使用方法を説明する。この方法は、従来と同じである。したがって、従来例の図６を参照しながら説明をする。
この第１実施形態のマスキングシートは、塗装対象物における塗装対象面と非塗装面１とを区画して、塗装作業時に、塗装対象面以外に塗料が付着することを防ぐようにしている。
【００３５】
図６（ａ）に示すように、下塗り境界設定部３ａを下塗り面４の境界に沿わせながら、下塗り用粘着テープ３と上塗り用粘着テープ２とを非塗装面１に接着する。下塗り用粘着テープ３と上塗り用粘着テープ２とを非塗装面１に接着したら、折りたたまれていたシート体Ｓを展開して非塗装面１を覆う。
【００３６】
上記のようにして下塗り用粘着テープ３と上塗り用粘着テープ２とを非塗装面１に接着すれば、下塗り面４と非塗装面１とが、下塗り境界設定部３ａを境に区画されることになる。
したがって、下塗り面４に、凹凸模様を形成する厚塗りの下塗り５を施せば、下塗り５が非塗装面１にはみ出すこともないし、下塗り用の塗料が、非塗装面１に飛散して汚すようなこともなくなる。
【００３７】
上記のようにして下塗り５が完成したら、図６（ｂ）に示すように、下塗り用粘着テープ３を上塗り用粘着テープ２からはがす。このように下塗り用粘着テープ２をはがすことによって、上塗り用粘着テープ２の上塗り境界設定部２ａと下塗り５との間に形成された非塗装面１が露出する。この露出した部分は、下塗り５の塗料が塗られていない状態にある。
【００３８】
次に、上記の露出した部分を露出させたまま、下塗り５の表面にその保護膜となる薄い上塗り６を施す。この上塗り６は上塗り境界設定部２ａを境に区画されるので、上塗り用の塗料が非塗装面１にはみ出すこともないし、非塗装面１に飛散して汚すようなこともなくなる。
このように上塗り用粘着テープ２を用いたので、図６（ｃ）に示すように、凹凸模様等を施した厚い下塗り５のいわゆる見切り部５ａにまで保護膜である上塗り６が施される。
【００３９】
この第１実施形態によれば、下塗り用粘着テープ３には粘着部Ｃと非粘着部Ｖとを設けたので、下塗り用粘着テープ３がめくりやすくなり、非粘着部Ｖを指で簡単につまむことができる。
例えば、従来の場合には、上記したように爪を立てる際に、上塗り用粘着テープ２の上塗り境界設定部２ａがずれたりしたが、この第１実施形態ではそのような問題は発生しない。しかも、上記のように非粘着部Ｖを簡単につまめるので、軍手などを使ったまま作業ができる。
【００４０】
また、下塗り用粘着テープ３に非粘着部Ｖを設けたので、上塗り用粘着テープ２に対する下塗り用粘着テープ３の粘着力に比べて、非塗装面１に対する上塗り用粘着テープ２の粘着力の方が大きくなる。したがって、下塗り用粘着テープ３を上塗り用粘着テープ２からはがすとき、上塗り用粘着テープ２が下塗り用粘着テープ３に追随せず、上塗り用粘着テープ２の上塗り境界設定部２ａがずれたりしない。上塗り境界設定部２ａがずれないので、従来のようなずれを修正する作業もなくなり、全体の作業性もよくなる。
【００４１】
なお、この第１実施形態では、下塗り用粘着テープ３と上塗り用粘着テープ２とにポリエチレンクロステープを使用しているが、従来のマスキングテープで使用されているテープ基材はすべて使用できることは当然である。例えば、紙や布、又は、ポリエチレン等の合成樹脂を用いることができる。また、下塗り用粘着テープ３と上塗り用粘着テープ２とは、異なるテープ基材を組み合わせても良い。
【００４２】
また、この第１実施形態の下塗り用粘着テープ３と上塗り用粘着テープ２とは、同じ粘着性を備えた粘着剤を塗布しているが、粘着力が異なった粘着剤を使用しても良い。例えば、下塗り用粘着テープ３の粘着剤を、上塗り用粘着テープ２よりも弱い粘着力を備えた粘着剤を利用することで、下塗り用粘着テープ３をはがしやすくできる。
さらに、下塗り用粘着テープ３が上塗り用粘着テープ２からはがれやすくするために、上塗り用粘着テープ２の表面に剥離剤が塗布されてもよい。
【００４３】
また、この第１実施形態では、下塗り用粘着テープ３と上塗り用粘着テープ２とは、同じ幅のテープ基材を用いているが、異なる幅のテープ基材を用いてもよいのは当然である。
例えば、この第１実施形態では、下塗り用粘着テープ３のへり３ｅが、上塗り用粘着テープ２のへり２ｅよりも内側にずれた位置にあるが、下塗り用粘着テープ３のへり３ｅが、上塗り用粘着テープ２のへり２ｅよりも張り出していてもよい。
【００４４】
このように、下塗り用粘着テープ３のへり３ｅが、上塗り用粘着テープ２のへり２ｅから張り出しているので、さらに指に引っ掛かりやすくなるとともに、塗料が下塗り用粘着テープ３の表面にしか付着しない効果がある。
例えば、下塗り用粘着テープ３のへり３ｅが、上塗り用粘着テープ２のへり２ｅよりも内側にずれた位置にある場合には、上塗り用粘着テープ２の表面の一部が露出してしまう。このように露出してしまうと、下塗り用粘着テープ３と上塗り用粘着テープ２との間に塗料が付着してしまうことがあり、この塗料が固化して、下塗り用粘着テープ３と上塗り用粘着テープ２とがくっついてしまう場合があった。
【００４５】
このように両粘着テープ２，３が塗料によってくっついてしまうと、上塗り用粘着テープ２が下塗り用粘着テープ３に追随して、非塗装面１から上塗り境界設定部２ａがはがれてしまう。
しかし、下塗り用粘着テープ３で、上塗り用粘着テープ２の表面全体を覆うため、下塗り用粘着テープ３と上塗り用粘着テープ２との間に塗料が付着することがない。そのため、上塗り用粘着テープ２が下塗り用粘着テープ３に追随して、非塗装面１から上塗り境界設定部２ａがはがれてしまう失敗がない。
【００４６】
次に第２実施形態について説明をする。
図４に示す第２実施形態は、下塗り用粘着テープ３の粘着部Ｃと非粘着部Ｖとの構成が第１実施形態と異なるが、その他の構造は、第１実施形態と同じである。したがって、第１実施形態と同様の構造を有する構成要素には、図３と同じ符号を用いる。
【００４７】
図４に示すように、この下塗り用粘着テープ３の裏面は、その長さ方向に沿って粘着部Ｃと非粘着部Ｖとが設けられるとともに、上記下塗り用粘着テープ３の幅方向において、上記粘着部Ｃと非粘着部Ｖとが交互に連続して区画されている。
【００４８】
具体的には、上記粘着部Ｃは、下塗り用粘着テープ３の幅方向において、下塗り境界設定部３ａを含む範囲で第１粘着部ｃ１が形成される。そして、粘着力を有さない第１非粘着部ｖ１を挟んで、下塗り境界設定部３ａを含まない第２粘着部ｃ２が連続して設けられる。この第２粘着部ｃ２と第１非粘着部ｖ１とは、必要に応じてそれぞれ複数設けることができる。
さらに、下塗り用粘着テープ３の幅方向において、上記第２粘着部ｃ２と隣接する第２非粘着部ｖ２が設けられるが、この第２非粘着部ｖ２は、下塗り用粘着テープ３の下塗り境界設定部３ａの反対側となる他方のへり３ｅを含む範囲で形成されている。
【００４９】
この第２実施形態によれば、粘着部Ｃと非粘着部Ｖとのそれぞれの幅を変えたり、それらの配置数を変えたりして、下塗り用粘着テープ３の上塗り用粘着テープ２に対する粘着性と剥離性とを調節することができる。
【産業上の利用可能性】
【００５０】
この発明は、塗装作業の際に、塗装対象面と非塗装面を区画して塗装することに最適である。
【符号の説明】
【００５１】
Ｓ…シート体、１…非塗装面、２…上塗り用粘着テープ、２ａ…上塗り境界設定部、３…下塗り用粘着テープ、３ａ…下塗り境界設定部、４…下塗り面、５…下塗り、５ａ…見切り部、６…上塗り、Ｃ…粘着部、Ｖ…非粘着部
【図１】
2018196857.tif 000003
【図２】
2018196857.tif 000004
【図３】
2018196857.tif 000005
【図４】
2018196857.tif 000006
【図５】
2018196857.tif 000007
【図６】
2018196857.tif 000008